(57)【要約】【目的】初期化処理終了時に発生している警告状態に応じた警報音声を確実に再生してドライバに報知する「音声再生装置およびその警告音声再生方法」を提供することである。【構成】車載システムにおける音声再生装置であり、システム起動時に初期化動作を行ない、初期化動作完了後に要求により音声再生を行なう音声再生部、車両速度を監視する車両速度監視部、車両状態を監視し、車両状態情報を出力する車両状態情報発生部、音声再生部の初期化が完了する前の車両状態を保存し、初期化完了後、車両速度が所定速度を越えているとき保存してある車両状態に応じた警告音声の再生を音声再生部に要求する警告音声制御部を備えている。【選択図】図１
2007326382.tif 000002
【特許請求の範囲】
【請求項１】
車載システムにおける音声再生装置の警告音声再生方法において、
システム起動時に行なわれる音声再生部の初期化が完了したか監視し、
音声再生部の初期化が完了する前の車両状態を保存し、
初期化が完了し、車両速度が所定速度を越えているとき前記保存してある車両状態に応じた警告音声の再生を前記音声再生部に要求し、警告音声の再生を実行させる、
ことを特徴とする警告音声再生方法。
【請求項２】
車載システムにおける音声再生装置において、
システム起動時に初期化動作を行ない、初期化動作完了後に要求により音声再生を行なう音声再生部、
車両速度を監視する車両速度監視部、
車両状態を監視し、車両状態情報を出力する車両状態情報発生部、
音声再生部の初期化が完了する前の車両状態を保存すると共に、初期化が完了し、かつ、車両速度が所定速度を越えているとき前記保存してある車両状態に応じた警告音声の再生を前記音声再生部に要求する警告音声制御部、
を備えたことを特徴とする音声再生装置。
【発明の詳細な説明】
【技術分野】
【０００１】
本発明は音声再生装置およびその警告音声再生方法に係わり、特に、ナビゲーション案内音声および車両警告音声をそれぞれ出力する車載システムにおける音声再生装置およびその警告音声再生方法に関する。
【背景技術】
【０００２】
車載システムは、危険な状態で車両が走行したとき、ドライバに警告を促すようになっている。危険な状態とは、シートベルト締め忘れ、ドア閉め忘れ、サドブレーキリリース忘れ、トランク閉め忘れなどである。
従来、かかる危険状態を警告灯を表示して警告し、また、走り出してからある一定速度に達しても危険状態が続いているときは警告ブザーを鳴らして警告する。しかし、警告灯では昼間見づらく、警告ブザーではどこが危険であるかの判別がしにくい問題がある。
また、従来技術として、車両用盗難警報装置を盗難警報発生に使用するとともに、走行中にドアやトランクが開いたときの危険警報発生に使用する技術がある(特許文献１)。しかし、この従来技術はどこが危険であるかの判別がしにくい問題がある。
このため、交差点までの距離や右左折方向などのナビゲーション案内メッセージを音声出力する音声再生装置を用いて、安全運転上の警告メッセージを音声で出力するようにしたものがある。
【特許文献１】特開平８−３０５９８４号公報
【発明の開示】
【発明が解決しようとする課題】
【０００３】
ナビゲーションシステムの音声再生装置を用いて警告音声を出力する方法は、どこが危険であるかが判りやすく、しかもブザーのようにドライバを驚かす危険がない。しかし、ナビゲーションシステムの音声再生装置を用いて警告音声を出力するには、該音声再生装置が音声を再生出力できる状態になくてはならない。再生出力できる状態にないと、警告音声を再生できず、その結果、警告音声の再生が漏れてしまう問題がある。
例えば、パーキングブレーキを掛けたまま、エンジンを掛けてすぐに走り出し、車両速度が設定速度を越えるとパーキングブレーキのリリース忘れの警告情報が音声再生装置に入力する。音声再生装置の警告音声制御モジュールは警報情報を受信すると音声再生モジュールに警告音声の発生を要求する。しかし、音声再生モジュールが初期化を終了していない場合があり、かかる場合、警告音声制御モジュールは警告音声を発生せず、警告音声再生漏れが発生する。
ナビゲーションシステムにおける音声再生装置の音声再生モジュールは、システム起動時に初期化を行なうが、この初期化に際して、(1)TSS（Text to Speech）エンジンの初期化処理、(2)DVDディスクよりTSS（Text to Speech）データファイルの読出し処理、(3)該TTSデータファイルのTSSエンジンへの登録処理を行ない、これらの初期化処理に約20秒程度必要とし、その間に警告情報が入力してもその警告音声を発生せず、警告音声再生漏れが生じる。なお、TSSデータファイルとは、各種警告メッセージ(例えば「シートベルトを締めてください」)や各種ナビゲーション案内メッセージ(例えば「次の交差点を右です」)などの音声信号を出力できるようにしたテキスト・音声変換データファイルであり、TSSエンジンが人がしゃべるように音声信号を出力可能にするものである。テキスト・音声変換データは、言語毎、性別毎に用意されている。
以上から、本発明の目的は、警告音声再生漏れが生じないようにすることである。すなわち、初期化処理終了前から発生している警告状態に応じた警報音声を確実に再生してドライバに報知することである。
【課題を解決するための手段】
【０００４】
本発明の第１の態様は、車載システムにおける音声再生装置の警告音声再生方法であり、システム起動時に行なわれる音声再生部の初期化が完了したか監視するステップ、音声再生部の初期化が完了する前の車両状態を保存するステップ、初期化が完了し、かつ、車両速度が所定速度を越えているとき前記保存してある車両状態に応じた警告音声の再生を前記音声再生部に要求し、警告音声の再生を実行させるステップを備えている。
本発明の第２の態様は、車載システムにおける音声再生装置であり、システム起動時に初期化動作を行ない、初期化動作完了後に要求により音声再生を行なう音声再生部、車両速度を監視する車両速度監視部、車両状態を監視し、車両状態情報を出力する車両状態情報発生部、音声再生部の初期化が完了する前の車両状態を保存すると共に、初期化が完了し、かつ、車両速度が所定速度を越えているとき前記保存してある車両状態に応じた警告音声の再生を前記音声再生部に要求する警告音声制御部を備えている。
【発明の効果】
【０００５】
本発明によれば、システム起動時に行なわれる音声再生部の初期化が完了したか監視し、音声再生部の初期化が完了する前の車両状態を保存すると共に、初期化が完了し、かつ、車両速度が所定速度を越えているとき前記保存してある車両状態に応じた警告音声の再生を前記音声再生部に要求し、警告音声の再生を実行させるようにしたから、初期化処理終了前から発生している警告状態に応じた警報音声を確実に再生してドライバに報知することができる。すなわち、本発明によれば警告音声再生漏れが生じないようにできる。
【発明を実施するための最良の形態】
【０００６】
図１は本発明の音声再生装置を備えた車載システムの構成図で、ナビゲーション制御を行うナビゲーション制御装置１０、ナビゲーション制御音声や警告音声、音声認識時の認識音声などを出力する音声再生装置２０、車両状態を検出して警報情報を出力する車両状態検出部３０、車両状態検出部からの警報情報を音声再生装置に送信する車内LAN４０、車両速度を検出するための車両センサー(速度センサー)５０、地図データやTSS用データを保存するDVD（DVDドライブは図示せず）６０、スピーカ７０を備えている。
【０００７】
音声再生装置２０は、音声を再生する音声再生モジュール２１、該音声再生モジュールに警告音声の出力を要求する警告音声制御モジュール２２、車両センサー５０から入力する車速パルスを計数して車両速度を測定して警告音声制御モジュール２２に入力する車両速度配信モジュール２３、車内LAN４０より通知される車両状態情報を警告音声制御モジュール２２に入力する車両状態情報配信モジュール２４を備えている。
警告音声制御モジュール２２は後述する処理フローにしたがった制御を行って、音声再生モジュール２１に警告音声の出力を要求し、初期化処理完了前に警告状態が発生しても初期化処理完了後に警告音声を再生可能にする。
【０００８】
音声再生モジュール２１の音声再生モジュール制御部２１aは音声再生モジュールの初期化処理を行なうと共に、ナビゲーション制御部１０からの指示に従ってナビゲーション案内音声を出力し、あるいは、警告音声制御モジュール２２からの要求により警告音声を出力し、あるいは、音声認識時に音声認識システムが認識した認識音声を出力する。初期化処理に際して、TSSエンジン２１ｂの初期化処理、DVDディスクよりのTSSデータ(音声辞書など)の読出し処理、該TTSデータのTSSエンジンへの登録処理を行なうが、これらの初期化処理に約20秒程度必要とする。図２は初期化処理シーケンス説明図であり、システム起動時、音声再生モジュール制御部２１aはTSSエンジン２１bの初期化を行ない、ついで、ディスク６０よりTSSデータの読み出しを行い、TSSデータ読出し完了後、該TTSデータをTTSエンジンに登録して初期化を終了する。TSS音声データの読み出しと登録を行なうためにそれぞれ10秒相当の時間を必要とする。
【０００９】
車両状態検出部３０は、車両状態を検出して車両状態情報を発生する各種状態情報発生部を備えている。シートベルト情報発生部３１はシートベルトの装着状態を検出して車内LANを介してシートベルト装着状態情報を車両状態情報配信モジュール２４に入力する。同様に、ドア開閉情報発生部３２はドア開閉状態を検出してドア開閉状態情報を、トランク開閉情報発生部３３はトランク開閉状態を検出してトランク開閉状態情報を、サイドブレーキ状態情報発生部３４はサイドブレーキ状態を検出してサイドブレーキ状態情報を車両状態情報配信モジュール２４に入力する。なお、状態情報発生部は図示する例に限らずその他の車両状態情報発生部が考えられる。車両状態情報配信モジュール２４は、各種状態情報発生部からの状態を受信して保存する。
【００１０】
図３は音声再生装置による警告音声制御処理フローである。なお、処理フローではシステム起動後、車両状態の警告音声の再生を１回だけ行ない、２回以上行なわないものとしている。
警告音声制御モジュール２２は車両速度配信モジュール２３が測定する車両速度を取得して車両速度を監視する(ステップ１０１)。
ついで、警告音声制御モジュール２２はシステム起動後に警告音声を再生したことがあるか、すなわち、音声再生モジュールに警告音声の再生を要求したことがあるか判断し(ステップ１０２)、既に警告音声を再生出力していれば警告音声出力制御を停止する。
一方、未だ警告音声を出力してなければ、車両速度が設定速度を越えている調べる(ステップ１０３)。
【００１１】
車両速度が設定速度以下であれば、車両状態情報配信モジュール２４は車両状態検出部３１〜３４から通知される車両状態に変化があるか調べ(ステップ１０４)、変化があれば該状態を保存し(ステップ１０５)、始めに戻る。これにより、車両状態情報配信モジュール２４は各車両状態検出部３１〜３４から通知される最新の車両状態を保存する。
ステップ１０３において車両速度が設定速度以上であれば、警告音声制御モジュール２２は車両状態情報信モジュール２４より車両状態を取得し、車両に警告状態が存在するか調べる(ステップ１０６)。警告状態が存在しなければステップ１０４以降の処理を繰り返す。
一方、警告状態が存在すれば、警告音声制御モジュール２２は音声再生モジュール２１が初期化動作を完了しているか調べ(ステップ１０７)、終了してなければステップ１０４以降の処理を繰り返す。
しかし、ステップ１０７において、初期化動作を完了していれば、警告音声制御モジュール２２は音声再生モジュール２１に警告状態に基づいた警告音声の再生を要求する(ステップ１０８)。
【００１２】
音声再生モジュール２１の音声再生モジュール制御部２１aは、再生要求に応じたメッセージの音声出力をTTSエンジン２１bに指示し、これによりTTSエンジン２１bは警告状態に応じた警告音声を再生し、音声再生モジュール制御部２１aを介してスピーカ７０より出力する(ステップ１０９)。
以後、ステップ１０２において「YES」となり、警告音声の出力制御は終了する。なお、警告音声の再生が行なわれるまで上記処理が繰り返されるが、車両が正常状態にあれば警告音声の再生は行われない。
以上の処理により、初期化終了時における車両状態（ドア開閉状態、トランク開閉状態、シートベルト装着/未装着状態、サイドブレーキ状態など）に基づいて警告音声を出力することができる。
以上本発明によれば、初期化処理時間が長くても初期化処理終了時に発生している警告状態に応じた警報音声を確実に再生してドライバに報知することができ、従来のように、警告音声再生漏れが生じないようにできる。
【図面の簡単な説明】
【００１３】
【図１】本発明の音声再生装置を備えた車載システムの構成図である。
【図２】初期化処理シーケンス説明図である。
【図３】音声再生装置による警告音声制御処理フローである。
【符号の説明】
【００１４】
１０  ナビゲーション制御装置
２０  音声再生装置
２１  音声再生モジュール
２１a  音声再生モジュール制御部
２１b  TTSエンジン
２２  警告音声制御モジュール
２３  車両速度配信モジュール
２４  車両状態情報配信モジュール
３０  車両状態検出部
３１  シートベルト情報発生部
３２  ドア開閉情報発生部
３３  トランク開閉情報発生部
３４  サイドブレーキ状態情報発生部
４０  車内LAN
５０  車両センサー(速度センサー)
６０  DVDディスク
【図１】
2007326382.tif 000003
【図２】
2007326382.tif 000004
【図３】
2007326382.tif 000005